(57)【要約】      （修正有）【課題】融通性に富んだシステム構築を実現することができる車両ピッキング支援システムを提供する。【解決手段】携帯端末機器５０は、探索されるべき車両２０の車両識別番号を管理サーバ装置４０へ送信し、管理サーバ装置４０は、管理リスト４１を検索することにより、携帯端末機器５０から送信された車両識別番号に対応する車載ビーコン装置送信ＩＤを決定して携帯端末機器５０へ送信する。携帯端末機器５０は、複数の車載ビーコン装置３０がそれぞれ送信する無線信号を受信しており、受信されている無線信号の内に、管理サーバ装置４０から送信された車載ビーコン装置送信ＩＤを含む無線信号を認識すると、外部への認識の通知を行う。【選択図】図１
2019091108.tif 000002
【特許請求の範囲】
【請求項１】
複数の対象物へそれぞれ取付けられた、ビーコン装置送信ＩＤを含む無線信号をそれぞれ送信する複数のビーコン装置と、
前記対象物の対象物識別子と、前記ビーコン装置送信ＩＤと、の対応関係が記述されているリストを保持する管理サーバ装置と、
複数の前記ビーコン装置がそれぞれ送信する前記無線信号を受信することができる携帯端末装置と、
を備え、
前記携帯端末装置は、探索されるべき前記対象物の前記対象物識別子を前記管理サーバ装置へ送信し、
前記管理サーバ装置は、前記リストを検索することにより、前記携帯端末装置から送信された前記対象物識別子に対応する前記ビーコン装置送信ＩＤを決定して前記携帯端末装置へ送信し、
前記携帯端末装置は、複数の前記ビーコン装置がそれぞれ送信する前記無線信号を受信しており、受信されている前記無線信号の内に、前記管理サーバ装置から送信された前記ビーコン装置送信ＩＤを含む前記無線信号を認識すると、外部への認識の通知を行うことを特徴とする対象物探索支援システム。
【請求項２】
前記リストには、前記対象物識別子と、前記ビーコン装置送信ＩＤと、前記ビーコン装置送信ＩＤとペアにされたビーコン装置受信ＩＤと、の対応関係が記述されており、
各々の前記ビーコン装置には、自身の前記ビーコン装置送信ＩＤとペアにされた前記ビーコン装置受信ＩＤが設定されており、
前記携帯端末装置は、ユーザの指示に応じて、探索されるべき前記対象物の前記対象物識別子に対応する前記ビーコン装置送信ＩＤとペアにされた前記ビーコン装置受信ＩＤを含む無線信号を送信し、
前記ビーコン装置は、自身の前記ビーコン装置送信ＩＤとペアにされた前記ビーコン装置受信ＩＤを含む前記無線信号の受信を認識すると、発報を行うことを特徴とする請求項１に記載の対象物探索支援システム。
【請求項３】
前記リストには、前記対象物識別子と、前記ビーコン装置のビーコン装置識別子と、前記ビーコン装置送信ＩＤと、前記ビーコン装置受信ＩＤと、の対応関係が記述されており、
前記携帯端末装置は、探索されるべき前記対象物の前記対象物識別子の代わりに、探索されるべき前記対象物の前記対象物識別子に対応する前記ビーコン装置識別子を前記管理サーバ装置へ送信し、
前記管理サーバ装置は、前記リストを検索することにより、前記携帯端末装置から送信された前記ビーコン装置識別子に対応する前記ビーコン装置送信ＩＤを決定して前記携帯端末装置へ送信し、
前記携帯端末装置は、複数の前記ビーコン装置がそれぞれ送信する前記無線信号を受信しており、受信されている前記無線信号の内に、前記管理サーバ装置から送信された前記ビーコン装置送信ＩＤを含む前記無線信号を認識すると、外部への認識の通知を行うことを特徴とする請求項２に記載の対象物探索支援システム。
【発明の詳細な説明】
【技術分野】
【０００１】
本発明は、車両ピッキング支援システムのような対象物探索支援システムに関する。
【背景技術】
【０００２】
ビーコンを利用するさまざまな技術が、知られている。
【０００３】
より具体的に説明すると、つぎの通りである。
【０００４】
ＢＬＥ（Ｂｌｕｅｔｏｏｔｈ（登録商標）  Ｌｏｗ  Ｅｎｅｒｇｙ）は、数十メートル程度の距離が通信距離として想定されている、Ｂｌｕｅｔｏｏｔｈ４．０に準拠した近距離通信の仕様である。ＢＬＥにおいては、ビーコン装置がＩＤ（ｉｄｅｎｔｉｆｉｃａｔｉｏｎ）などの情報を含むビーコン信号をＢＬＥ電波で送信し、受信機またはスマートフォンなどがビーコン装置から送信されたビーコン信号を受信することで、通信が行われる。
【０００５】
ビーコンは、移動する対象物に取付けられた忘れ物タグまたは見守りタグのようなタグから送信されたビーコン信号が受信機またはスマートフォンなどで受信され、対象物の位置情報が取得される形で、利用されることがあった。
【０００６】
ところで、国内外で生産される自動車車両は組み立て生産後に一時的に専用駐車場と呼ばれる広いモータープールに保管され、製造番号、色および車種などが出荷指示に従って確認された後に出荷されるが、これに費やされる時間および労力は必ずしも小さくない。そして、中古車販売においても、展示会またはオークション会場となる広いモータープールで対象車両まで顧客を誘導し確認させることに費やされる時間および労力は、必ずしも小さくない。
【０００７】
所有者が自身で駐車した車両を探索する場合においては、車種、色またはナンバーの本人記憶および視認により車両を発見することは、比較的に容易である。パーキングエリアのような広いモータープールの場合においても、敷地地図またはエリア番号を記憶したり、ＧＰＳ（Ｇｌｏｂａｌ  Ｐｏｓｉｔｉｏｎｉｎｇ  Ｓｙｓｔｅｍ）などを利用して駐車位置を記録したりすることにより、車両の発見を支援することができる。
【０００８】
しかしながら、多数の不特定車両から特定車両を発見するためには、車種、色および製造番号などに関しての特定車両に対応する車両情報を印字して持参し、特定車両に近接して目視確認を行う必要がある。したがって、対象となる車両が位置する範囲が敷地地図、エリア番号、ＧＰＳなどを利用する位置情報により絞られても、同一車種または同色の車両の車両群が存在するモータープールのような広大な自由空間において、対象を視覚的に絞ることはしばしば困難であり、正確に早く少ない労力で多数の不特定車両から特定車両を発見することは容易ではない。
【０００９】
そこで、ビーコン装置を位置マーカとしてモータープールの車室に設置し、ビーコン信号の受信に基づき駐車状態の把握を行う技術が、知られている（たとえば、特許文献１参照）。
【００１０】
そして、車両にビーコン装置を搭載し、モータープールの車室に設置された受信機でビーコン信号を受信することで、車両と車室とを対応させて位置管理を行う技術も、知られている（たとえば、特許文献２参照）。
【先行技術文献】
【特許文献】
【００１１】
【特許文献１】特開２０１７−０９０９９２号公報
【特許文献２】特開２０１５−１５３２１７号公報
【発明の概要】
【発明が解決しようとする課題】
【００１２】
しかしながら、上述された従来の技術においては、モータープールの車室に設置される固定設備が必要であり、融通性に富んだシステム構築を実現することは困難である。
【００１３】
本発明は、上述された従来の課題を考慮し、融通性に富んだシステム構築を実現することができる対象物探索支援システムを提供することを目的とする。
【課題を解決するための手段】
【００１４】
第１の本発明は、複数の対象物へそれぞれ取付けられた、ビーコン装置送信ＩＤを含む無線信号をそれぞれ送信する複数のビーコン装置と、
前記対象物の対象物識別子と、前記ビーコン装置送信ＩＤと、の対応関係が記述されているリストを保持する管理サーバ装置と、
複数の前記ビーコン装置がそれぞれ送信する前記無線信号を受信することができる携帯端末装置と、
を備え、
前記携帯端末装置は、探索されるべき前記対象物の前記対象物識別子を前記管理サーバ装置へ送信し、
前記管理サーバ装置は、前記リストを検索することにより、前記携帯端末装置から送信された前記対象物識別子に対応する前記ビーコン装置送信ＩＤを決定して前記携帯端末装置へ送信し、
前記携帯端末装置は、複数の前記ビーコン装置がそれぞれ送信する前記無線信号を受信しており、受信されている前記無線信号の内に、前記管理サーバ装置から送信された前記ビーコン装置送信ＩＤを含む前記無線信号を認識すると、外部への認識の通知を行うことを特徴とする対象物探索支援システムである。
【００１５】
これにより、携帯端末装置は、複数のビーコン装置がそれぞれ送信する無線信号を受信しており、受信されている無線信号の内に、管理サーバ装置から送信されたビーコン装置送信ＩＤを含む無線信号を認識すると、外部への認識の通知を行うので、融通性に富んだシステム構築を実現することができる。
【００１６】
第２の本発明は、前記リストには、前記対象物識別子と、前記ビーコン装置送信ＩＤと、前記ビーコン装置送信ＩＤとペアにされたビーコン装置受信ＩＤと、の対応関係が記述されており、
各々の前記ビーコン装置には、自身の前記ビーコン装置送信ＩＤとペアにされた前記ビーコン装置受信ＩＤが設定されており、
前記携帯端末装置は、ユーザの指示に応じて、探索されるべき前記対象物の前記対象物識別子に対応する前記ビーコン装置送信ＩＤとペアにされた前記ビーコン装置受信ＩＤを含む無線信号を送信し、
前記ビーコン装置は、自身の前記ビーコン装置送信ＩＤとペアにされた前記ビーコン装置受信ＩＤを含む前記無線信号の受信を認識すると、発報を行うことを特徴とする第１の本発明の対象物探索支援システムである。
【００１７】
これにより、ビーコン装置は、自身のビーコン装置送信ＩＤとペアにされたビーコン装置受信ＩＤを含む無線信号の受信を認識すると、発報を行うので、対象物探索における確実性を向上することができる。
【００１８】
第３の本発明は、前記リストには、前記対象物識別子と、前記ビーコン装置のビーコン装置識別子と、前記ビーコン装置送信ＩＤと、前記ビーコン装置受信ＩＤと、の対応関係が記述されており、
前記携帯端末装置は、探索されるべき前記対象物の前記対象物識別子の代わりに、探索されるべき前記対象物の前記対象物識別子に対応する前記ビーコン装置識別子を前記管理サーバ装置へ送信し、
前記管理サーバ装置は、前記リストを検索することにより、前記携帯端末装置から送信された前記ビーコン装置識別子に対応する前記ビーコン装置送信ＩＤを決定して前記携帯端末装置へ送信し、
前記携帯端末装置は、複数の前記ビーコン装置がそれぞれ送信する前記無線信号を受信しており、受信されている前記無線信号の内に、前記管理サーバ装置から送信された前記ビーコン装置送信ＩＤを含む前記無線信号を認識すると、外部への認識の通知を行うことを特徴とする第２の本発明の対象物探索支援システムである。
【００１９】
これにより、携帯端末装置は、探索されるべき対象物の対象物識別子の代わりに、探索されるべき対象物の対象物識別子に対応するビーコン装置識別子を管理サーバ装置へ送信するので、対象物探索における利便性を向上することができる。
【発明の効果】
【００２０】
本発明により、融通性に富んだシステム構築を実現することが可能な対象物探索支援システムを提供することができる。
【図面の簡単な説明】
【００２１】
【図１】本発明における実施の形態の車両ピッキング支援システムのブロック図
【図２】本発明における実施の形態の車両ピッキング支援システムの携帯端末機器の操作画面の説明図（その一）
【図３】本発明における実施の形態の車両ピッキング支援システムの携帯端末機器の操作画面の説明図（その二）
【図４】本発明における実施の形態の車両ピッキング支援システムの動作フローの説明図
【発明を実施するための形態】
【００２２】
以下、図面を参照しながら、本発明における実施の形態について詳細に説明する。
【００２３】
（Ａ）はじめに、図１を参照しながら、本実施の形態の車両ピッキング支援システム１０の構成について具体的に説明する。
【００２４】
ここに、図１は、本発明における実施の形態の車両ピッキング支援システム１０のブロック図である。
【００２５】
車両ピッキング支援システム１０は、車両識別番号を管理する管理サーバ装置４０と、車両識別番号に関連付けられた車載ビーコン装置３０と、管理サーバ装置４０および車載ビーコン装置３０と通信する携帯端末機器５０と、で構成されている、ビーコンを用いたシステムである。
【００２６】
車載ビーコン装置３０から送信されたビーコン信号を携帯端末機器５０が受信した場合、ビーコン信号が探索車両である車両２０のビーコン信号であれば、対応するビーコン信号を送信し、対象の車載ビーコン装置３０が発光またはブザー音で発報を行うことにより、車メーカーの車両保管または販売店の車両展示で用いられる広大なモータープール１２での、特定車両である車両２０の探索、確認、および出荷作業にともなうピッキングを支援することができる。
【００２７】
複数の車載ビーコン装置３０は、複数の車両２０へそれぞれ取付けられた、車載ビーコン装置送信ＩＤを含む無線信号をそれぞれ送信する装置である。
【００２８】
各々の車載ビーコン装置３０には、自身の車載ビーコン装置送信ＩＤとペアにされた車載ビーコン装置受信ＩＤが設定されている。
【００２９】
より具体的には、車載ビーコン装置３０は、車載ビーコン装置送信部３１、および車載ビーコン装置受信部３２、および信号に反応する発光またはブザー音などの作動部である発報部３３のみならず、信号処理部なども持つ。
【００３０】
車載ビーコン装置送信ＩＤは、車載ビーコン装置送信部３１から送信されたビーコン信号がどの車載ビーコン装置３０のビーコン信号であるかを示す、車載ビーコン装置３０の存在を周囲の携帯端末機器５０に知らせるための「ＩＤ０１」、「ＩＤ０Ｘ」または「ＩＤ０Ｙ」のようなＩＤである。
【００３１】
車載ビーコン装置受信ＩＤは、車載ビーコン装置受信部３２で受信されたビーコン信号が自身のビーコン信号であった場合に、周囲の携帯端末機器５０からの探索に応えて発報を行うための「ＩＤ０２」のようなＩＤである。
【００３２】
車載ビーコン装置３０に予め設定されるとともに、管理サーバ装置４０で保存され管理される二種類のＩＤは、現実の運用においては、「ＩＤ０１」および「ＩＤ０２」のような連番の如き一定の対応関係を持つユニークな付番を利用して生成される。
【００３３】
二種類のＩＤが利用されるので、車載ビーコン装置３０が自身から送信されたビーコン信号に起因して発報を行う恐れはない。
【００３４】
一種類のＩＤしか利用されなくても、ＩＤが電文本体に記載されている電文のヘッダ領域には電文送信元が記載されており、車載ビーコン装置３０が自身から送信されたビーコン信号に起因して発報を行う恐れが低減されてもよい。
【００３５】
管理サーバ装置４０は、管理リスト４１を保持する装置である。
【００３６】
管理リスト４１には、車両２０の車両識別番号と、車載ビーコン装置３０の車載ビーコン装置識別番号と、車載ビーコン装置送信ＩＤと、車載ビーコン装置送信ＩＤとペアにされた車載ビーコン装置受信ＩＤと、の対応関係が記述されている。
【００３７】
より具体的には、管理サーバ装置４０は、車両２０の車両識別番号に関連付けられた車載ビーコン装置識別番号を保存し管理するデータベース管理システムの一部として機能し、インターネット１１に接続されるインターネット通信部なども持つ。
【００３８】
携帯端末機器５０は、複数の車載ビーコン装置３０がそれぞれ送信する無線信号を受信することができる装置である。
【００３９】
より具体的には、携帯端末機器５０は、出荷作業ドライバーまたは車販売店スタッフのスマートフォンなどであり、携帯端末機器送信部５１、携帯端末機器受信部５２、および表示操作パネル５３のみならず、インターネット１１に接続されるインターネット通信部、ＧＰＳ受信部、ＣＰＵ（Ｃｅｎｔｒａｌ  Ｐｒｏｃｅｓｓｉｎｇ  Ｕｎｉｔ）、および信号処理部なども持つ。
【００４０】
業務フローに関わらない見学者が展示車を位置確認することができるアプリケーションプログラムが、ゲストアカウントの機能を利用して配布されてもよい。
【００４１】
車両ピッキング支援システム１０は、本発明の対象物探索支援システムの一例である。車両２０は、本発明の対象物の一例である。車載ビーコン装置３０は、本発明のビーコン装置の一例である。管理サーバ装置４０は本発明の管理サーバ装置の一例であり、管理リスト４１は本発明のリストの一例である。携帯端末機器５０は、本発明の携帯端末装置の一例である。
【００４２】
車載ビーコン装置送信ＩＤは本発明のビーコン装置送信ＩＤの一例であり、車載ビーコン装置受信ＩＤは本発明のビーコン装置受信ＩＤの一例であり、車両識別番号は本発明の対象物識別子の一例であり、車載ビーコン装置識別番号は本発明のビーコン装置識別子の一例である。
【００４３】
車載ビーコン装置３０は、車両２０に限らず、自転車などの乗り物、カートまたは鞄などの持ち物などに取付けられるビーコン装置であってもよい。
【００４４】
そして、車載ビーコン装置３０は、ビーコン受信の反応で作動するビーコン装置であればよく、発光またはブザー音に限らず、音声、映像、または香りなどで発報を行うビーコン装置であってもよい。
【００４５】
さらに、車載ビーコン装置３０は、車両２０のような対象物に搭載され、探索、確認または出荷作業にともなうピッキングの支援に主として利用されるビーコン装置であるが、対象者に装着され、捜査、発見または見守りなどの保護に利用されるビーコン装置であってもよい。
【００４６】
（Ｂ）つぎに、図１を主として参照しながら、本実施の形態の車両ピッキング支援システム１０の動作について具体的に説明する。
【００４７】
携帯端末機器５０は、管理サーバ装置４０から取得された探索対象の車両２０の車載ビーコン装置送信ＩＤを含むビーコン信号を認識し、車載ビーコン装置３０と相互に通信することにより、対象の車両２０の探索および確認を行う。
【００４８】
車両識別番号に関連付けられた車載ビーコン装置識別番号を持つ車載ビーコン装置３０と、インターネット１１に接続された管理サーバ装置４０にアクセスできる携帯端末機器５０と、により、モータープール１２の広さおよび位置に関係なく、対象の車両２０の発見を支援するので、位置マーカなどの位置測定装置、または受信機のような固定設備を設置する必要はなく、車載ビーコン装置３０および携帯端末機器５０のみで自由空間における対象物である車両２の探索を実現することができる。
【００４９】
（Ｂ１）携帯端末機器５０は、探索されるべき車両２０の車両識別番号を管理サーバ装置４０へ送信し、管理サーバ装置４０は、管理リスト４１を検索することにより、携帯端末機器５０から送信された車両識別番号に対応する車載ビーコン装置送信ＩＤを決定して携帯端末機器５０へ送信する。
【００５０】
なお、携帯端末機器５０は、探索されるべき車両２０の車両識別番号の代わりに、探索されるべき車両２０の車両識別番号に対応する車載ビーコン装置識別番号を管理サーバ装置４０へ送信し、管理サーバ装置４０は、管理リスト４１を検索することにより、携帯端末機器５０から送信された車載ビーコン装置識別番号に対応する車載ビーコン装置送信ＩＤを決定して携帯端末機器５０へ送信してもよい。
【００５１】
出荷作業ドライバーまたは車販売店スタッフは、探索されるべき車両２０の車両識別番号、または車両識別番号に対応する車載ビーコン装置識別番号を通常知っているので、探索対象として指定されるべき車両識別番号または車載ビーコン装置識別番号を携帯端末機器５０に予め設定することができる。
【００５２】
車両識別番号または車載ビーコン装置識別番号が予め設定されている携帯端末機器５０においては、対象の車両２０の位置情報を利用することにより、車両２０の位置が敷地地図に表示されるので、ユーザは車両２０に近い場所に移動して探索を始めることができる。
【００５３】
（Ｂ２）携帯端末機器５０は、複数の車載ビーコン装置３０がそれぞれ送信する無線信号を受信しており、受信されている無線信号の内に、管理サーバ装置４０から送信された車載ビーコン装置送信ＩＤを含む無線信号を認識すると、外部への認識の通知を行う。
【００５４】
このように、携帯端末機器５０は探索されるべき車両２０に対応する車載ビーコン装置送信ＩＤを管理サーバ装置４０から取得し、携帯端末機器５０が対象の車載ビーコン装置送信ＩＤを含むビーコン信号を受信すると、対象の車両２０が周辺に位置することがユーザへ通知される。
【００５５】
（Ｂ３）携帯端末機器５０は、ユーザの指示に応じて、探索されるべき車両２０の車両識別番号に対応する車載ビーコン装置送信ＩＤとペアにされた車載ビーコン装置受信ＩＤを含む無線信号を送信する。
【００５６】
車載ビーコン装置３０は、自身の車載ビーコン装置送信ＩＤとペアにされた車載ビーコン装置受信ＩＤを含む無線信号の受信を認識すると、発報を行う。
【００５７】
このように、車載ビーコン装置３０が携帯端末機器５０から送信された車載ビーコン装置受信ＩＤを含むビーコン信号を受信すると、対象の車両２０の探索は発光またはブザー音の発報により支援される。
【００５８】
そして、携帯端末機器５０が車載ビーコン装置３０に近接し、対象の車両２０が特定されると、携帯端末機器５０はＧＰＳ情報を利用することにより自身の位置情報を管理サーバ装置４０に登録する。たとえば、車両の特定はビーコン信号の電波強度を示すＲＳＳＩ（Ｒｅｃｅｉｖｅｄ  Ｓｉｇｎａｌ  Ｓｔｒｅｎｇｔｈ  Ｉｎｄｉｃａｔｏｒ）から算出される距離を利用することにより行われ、管理サーバ装置４０に対する探索の完了処理は１〜３メートル以内の一定範囲への近接が認識されたときに行われる。
【００５９】
（Ｃ）車両ピッキング支援システム１０へ実装されるべき機能を実現するためには、追加的であるまたはオプショナルであるさまざまな手法が利用可能であることは、いうまでもない。
【００６０】
（Ｃ１）出荷作業ドライバーまたは車販売店スタッフであっても、探索されるべき車両２０の車両識別番号も、車両識別番号に対応する車載ビーコン装置識別番号もはっきりとは知らない場合がある。
【００６１】
このような場合には、充実したデータベースとしての管理リスト４１を有する管理サーバ装置４０への予めの問合せを利用する、探索対象の設定をアシストする機能が実装されていてもよい。
【００６２】
たとえば、探索対象の設定は、図２に示されているような携帯端末機器５０の検索操作画面を利用して、対象の車両２０の車載ビーコン装置識別番号を予め選択することにより行われてもよい。
【００６３】
ここに、図２は、本発明における実施の形態の車両ピッキング支援システム１０の携帯端末機器５０の操作画面の説明図（その一）である。
【００６４】
上述されたように、車両識別番号または車載ビーコン装置識別番号が予め設定されている携帯端末機器５０においては、対象の車両２０の位置情報を利用することにより、車両２０の位置が敷地地図に表示されるので、ユーザは車両２０に近い場所に移動して探索を始めることができる。
【００６５】
図２に示された検索操作画面についてより具体的に説明すると、つぎの通りである。
【００６６】
検索条件表示内容は、第１アイテムとしての車種またはメーカーと、第２アイテムとしての色と、第３アイテムとしての製造番号と、第４アイテムとしてのエリアと、で構成されている。
【００６７】
検索結果表示内容は、第５アイテムとしてのビーコン番号、すなわち車載ビーコン装置識別番号と、第６アイテムとしての番号入力と、第７アイテムとしての詳細表示と、で構成されている。第６アイテムとしての番号入力については、ユーザの直接入力が要求される。第７アイテムとしての詳細表示については、車種またはメーカーと、色と、製造番号と、駐車エリアまたは位置と、登録、保管および出荷のような処理状態と、が検索により表示される。
【００６８】
（Ｃ２）車両識別番号または車載ビーコン装置識別番号を予め設定するのではなく、管理サーバ装置４０へのリアルタイムでの問合せを利用する、探索対象の設定をアシストする機能が実装されていてもよい。
【００６９】
たとえば、探索対象の設定は、図３に示されているような携帯端末機器５０の設定操作画面を利用して、受信されているビーコン信号に対応する車載ビーコン装置識別番号の内の一つを設定することにより行われてもよい。
【００７０】
ここに、図３は、本発明における実施の形態の車両ピッキング支援システム１０の携帯端末機器５０の操作画面の説明図（その二）である。
【００７１】
車両識別番号または車載ビーコン装置識別番号が予め設定されていなくても、ユーザは、敷地地図などを見ながら、対象の車両２０に近いと思われる場所を目指して移動し、車両２０のビーコン信号が受信される数十メートル以内の一定範囲に入ると、操作画面で車両２０を特定することができる。
【００７２】
図３に示された設定操作画面についてより具体的に説明すると、つぎの通りである。
【００７３】
「ＩＤ０１」のような車載ビーコン装置送信ＩＤを含むビーコン信号が受信されると、管理サーバ装置４０の管理リスト４１、または予め生成された携帯端末機器５０のローカルデータベースを参照することにより、対応する車両識別番号および車載ビーコン装置識別番号が決定される。そして、ＲＳＳＩを利用することにより、車載ビーコン装置３０と携帯端末機器５０との間の距離であるビーコン距離が、決定される。
【００７４】
したがって、対象の車両２０のビーコン信号が受信されると、第１アイテムとしての対象の車両２０の車両アイコンがアクティブ化され、第２アイテムとしての「０１」のような車載ビーコン装置識別番号、および「１２３ｍ」のようなビーコン距離が車載ビーコン装置送信ＩＤに基づき表示される。
【００７５】
そして、「ＩＤ０２」のような車載ビーコン装置受信ＩＤを含むビーコン信号がユーザのボタン押下げにより送信可能であるように、第４アイテムとしてのビーコン送信ボタンがアクティブ化される。
【００７６】
さらに、ビーコン距離が小さくなり、１〜３メートル以内の一定範囲への近接が認識されると、対象の車両２０の車両アイコンがユーザのボタン押下げによりロック処理で非アクティブ化可能であるように、第５アイテムとしての完了ボタンがアクティブ化される。
【００７７】
図４を主として参照しながらより具体的に説明すると、つぎの通りである。
【００７８】
ここに、図４は、本発明における実施の形態の車両ピッキング支援システム１０の動作フローの説明図である。
【００７９】
（ステップＳ１）
管理サーバ装置４０は、車両識別番号に関連付けられた車載ビーコン装置識別番号と、車載ビーコン装置識別番号に対応する、車載ビーコン装置送信ＩＤおよび車載ビーコン装置受信ＩＤと、を保存し管理する。
【００８０】
（ステップＳ２）
携帯端末機器５０は、探索対象の車両２０を管理サーバ装置４０へ知らせ、車載ビーコン装置識別番号と、対応する車載ビーコン装置送信ＩＤおよび車載ビーコン装置受信ＩＤと、を検索し、検索結果を自身の内蔵メモリなどに登録する。
【００８１】
（ステップＳ３）
特定車両を含む車両２０の車載ビーコン装置３０は、「ＩＤ０１」のような車載ビーコン装置送信ＩＤを含むビーコン信号を数十メートル以内の一定範囲へ送信する。
【００８２】
（ステップＳ４）
車両探索のための携帯端末機器５０は、受信されたビーコン信号の車載ビーコン装置送信ＩＤに対応する車載ビーコン装置識別番号などを知るために、管理サーバ装置４０への問合せを行う。
【００８３】
（ステップＳ５）
管理サーバ装置４０は、返信で、携帯端末機器５０からの問合せにおける車載ビーコン装置送信ＩＤに関連付けられた車載ビーコン装置識別番号などを携帯端末機器５０に教える。
【００８４】
もちろん、携帯端末機器５０が探索車両情報を確実に予め登録している（ステップＳ２参照）のであれば、管理サーバ装置４０への参照など（ステップＳ４およびＳ５参照）は省略可能である。
【００８５】
（ステップＳ６）
携帯端末機器５０は、管理サーバ装置４０からの返信に基づき、探索対象の車載ビーコン装置識別番号などが見出された場合においては、「ＩＤ０１」のような車載ビーコン装置送信ＩＤとペアにされた「ＩＤ０２」のような車載ビーコン装置受信ＩＤを含むビーコン信号を数十メートル以内の一定範囲へ送信する。
【００８６】
（ステップＳ７）
車載ビーコン装置３０は、自身の車載ビーコン装置送信ＩＤとペアにされた車載ビーコン装置受信ＩＤを含むビーコン信号を受信すると、発光およびブザー音の内の少なくとも一つで発報を行う。
【００８７】
（ステップＳ８）
携帯端末機器５０が車載ビーコン装置３０を中心とする１〜３メートル以内の一定範囲に近接すると、対象車両到着の表示が携帯端末機器５０の表示操作パネル５３において行われ、探索処理の完了通知が携帯端末機器５０から管理サーバ装置４０へ送信される。
【００８８】
（ステップＳ９）
管理サーバ装置４０は、携帯端末機器５０から送信された情報を利用して、処理時刻と、処理端末と、端末位置と、登録、保管および出荷のような処理状態と、に関する対象の車両２０の関連情報の更新などを車両識別番号などに基づき行う。
【００８９】
もちろん、現実の運用においては、車両２０が最初に駐車されたときに、関連情報の更新（ステップＳ９参照）などがしばしば行われるので、車載ビーコン装置送信ＩＤおよび車載ビーコン装置受信ＩＤなどの検索結果（ステップＳ２参照）に対象車両である車両２０の位置情報などを追加することができる。
【００９０】
（Ｃ３）管理サーバ装置４０が、管理リスト４１を検索することにより、携帯端末機器５０から送信された車載ビーコン装置識別番号に対応する車載ビーコン装置送信ＩＤを決定するのではなく、携帯端末機器５０が、管理リスト４１を検索することにより、車載ビーコン装置識別番号に対応する車載ビーコン装置送信ＩＤを自身で決定してもよい。
【００９１】
上述においては、本実施の形態の車両ピッキング支援システム１０の動作について説明しながら、本発明に関連する発明における対象物探索支援方法の一例についても説明した。
【００９２】
なお、本発明に関連する発明におけるプログラムは、上述された本発明に関連する発明における対象物探索支援方法の全部または一部のステップ（または、工程、動作もしくは作用など）の動作をコンピュータに実行させるためのプログラムであり、コンピュータと協働して動作するプログラムである。
【００９３】
また、本発明に関連する発明における記録媒体は、上述された本発明に関連する発明における対象物探索支援方法の全部または一部のステップ（または、工程、動作もしくは作用など）の全部または一部の動作をコンピュータに実行させるためのプログラムを記録する記録媒体であり、コンピュータにより読取り可能であり、読取られたプログラムがコンピュータと協働して利用される記録媒体である。
【００９４】
なお、上述された「一部のステップ（または、工程、動作もしくは作用など）」は、それらの複数のステップの内の、一つまたは幾つかのステップを意味する。
【００９５】
また、上述された「ステップ（または、工程、動作もしくは作用など）の動作」は、ステップの全部または一部の動作を意味する。
【００９６】
また、本発明に関連する発明におけるプログラムは、インターネットなどの伝送媒体、または光、電波または音波などの伝送媒体の中を伝送し、コンピュータにより読取られ、コンピュータと協働して動作してもよい。
【００９７】
また、記録媒体としては、ＲＯＭ（Ｒｅａｄ  Ｏｎｌｙ  Ｍｅｍｏｒｙ）などが含まれる。
【００９８】
また、上述された本発明におけるコンピュータは、ＣＰＵ（Ｃｅｎｔｒａｌ  Ｐｒｏｃｅｓｓｉｎｇ  Ｕｎｉｔ）などの純然たるハードウェアに限らず、ファームウェア、ＯＳ（Ｏｐｅｒａｔｉｎｇ  Ｓｙｓｔｅｍ）、そしてさらに周辺機器を含んでもよい。
【００９９】
なお、上述されたように、本発明における構成は、ソフトウェア的に実現されてもよいし、ハードウェア的に実現されてもよい。
【産業上の利用可能性】
【０１００】
本発明における対象物探索支援システムは、融通性に富んだシステム構築を実現することができ、たとえば、車両ピッキング支援システムのような対象物探索支援システムに利用する目的に有用である。
【符号の説明】
【０１０１】
１０  車両ピッキング支援システム
１１  インターネット
１２  モータープール
２０  車両
３０  車載ビーコン装置
３１  車載ビーコン装置送信部
３２  車載ビーコン装置受信部
３３  発報部
４０  管理サーバ装置
４１  管理リスト
５０  携帯端末機器
５１  携帯端末機器送信部
５２  携帯端末機器受信部
５３  表示操作パネル
【図１】
2019091108.tif 000003
【図２】
2019091108.tif 000004
【図３】
2019091108.tif 000005
【図４】
2019091108.tif 000006